(57)【要約】      （修正有）【課題】最も利用頻度の高いドアポケットの物品を出し入れする度に冷蔵部分の扉全体を開閉せねばならず、冷気の消失が著しかった。また、冷気の消失を最小限に抑えるには、一度の利用で２回の開閉を要した。【解決手段】ドアポケット部分のみを扇状に手前に開く形態を採り、その際、動作に合わせてドアポケット底部に折り畳まれていた遮蔽パネルが作動してシャッターの役割を担うので冷気の消失を劇的に軽減できる。また開けると同時に遮蔽パネルが働くので開けっぱなしで用事を行える。【選択図】図８
2009216378.tif 000002
【特許請求の範囲】
【請求項１】
冷蔵庫の上部冷蔵部分の扉に設けた、主にペットボトルや紙パック飲料等を収納するドアポケット部分を、扉を開けることなく、その部分のみを外から手前に扇状に引き倒して露出させると同時に、ドアポケット底面の下に設けた折り畳み式の遮蔽パネルが作動して冷気が外に逃げないようにシャッターの役割を担う、一連の仕組みを具えた家庭用冷蔵庫。
【請求項２】
ボディの左右の側面、および天板に開閉式の通気孔を設け、戸外にも持ち出せるよう配慮されたオプションのキャスター付のクーラーボックスをつなげるように仕様された家庭用冷蔵庫、およびこの仕様に即した機能を有するオプションとしてのクーラーボックス。
【請求項３】
本来は庫内の見えない部分に内蔵されているコンプレッサーや除霜ヒーター等、冷蔵庫を冷蔵庫たらしめている冷却装置を、ボディの天板の奥に露出させた形で集結させ、その部分をボックスとして蔽い、物を冷やすのではなく、冷却装置が発生させる熱を利用して、物を温める為のスペースを手前に設けた家庭用冷蔵庫
【請求項４】
ボディの左右いずれの側面からも利用できる、冷蔵室部分、もしくは冷凍室部分の庫内奥に引き出しを設けた家庭用冷蔵庫。
【発明の詳細な説明】
【技術分野】
【０００１】  本発明は、従来の家庭用冷蔵庫の冷蔵室の扉に、ドアポケット部分のみが扇状に外開きする開閉扉を設けた家庭用電気冷蔵庫に関する。
【背景技術】
【０００２】  従来の家庭用冷蔵庫は、扉のポケットに収納していた物の出し入れの度に、冷蔵室の扉を開閉せねばならなかった。
【発明の開示】
【発明が解決しようとする課題】
【０００３】  従来は、冷蔵庫のドアポケットに収納の、利用頻度の高いペットボトル等を利用する度に冷蔵室の扉を開閉せねばならず、しかも再び元の場所に戻す必要から、一回の利用で扉を２回開閉せねばならなかった。扉の開閉頻度が高ければ電力の浪費は避けられない。扉の開閉に伴う冷気の損失を劇的に抑えることと、開閉の二度手間を一回で済ます為、エコロジーと利便性に立脚した構造と仕組みを設けることにより、前記２点の欠点を克服しようとするものである
【課題を解決するための手段】
【０００４】  本発明は、冷蔵室の扉全体ではなく、ドアポケット部分のみを開閉し、このポケット部分を外部へ扇状に引き倒すように露出させた際に、ポケット底部の下に折り畳んで収納されていた薄い金属製のパネルが、ポケット底部に取り付けた磁石の磁力によって作動して、ポケット部分が外部に向けて約９０度の角度で扇状に開いたときに、シャッターのように庫内と外部を遮断して冷気が外へ逃げないようにする。
【発明の効果】
【０００５】  本発明は、利用頻度の高いドアポケットの物品を利用する際にドアポケット部分のみの開閉ですむばかりではなく、開ききると同時に収納パネルが庫内と外部を遮断すべくシャッターの役割を果たすので、従来と比べると冷気の損失を劇的に軽減できるばかりか、目的が完了するまで一旦閉める必要がないので、一回の利用に一回の開閉ですむ。エコロジー、利便性の観点から、双方に大きく貢献できる仕組みである。
【発明を実施するための最良の形態】
【０００６】  庫内のドアポケット底部は二層構造にして、その隙間に直径５ミリほどの球形の程よい磁力を持った磁石を取り付ける。ドアポケットの下に、三層に折り畳んだ薄い金属製のパネル（磁石に反応する材質）を設置する。ドアポケットの底部には、その二層となった隙間に円転する球形の磁石が、その体積の３分の１ほどはみ出した形で埋め込まれているので、ドアポケットの開閉とシャッターの役割を担う折り畳み式のパネルの伸縮が円滑に相互作用する。
【実施例】
【０００７】  以下、添付図面に従って一実施例を説明する。図１の１は家庭用冷蔵庫の冷蔵室の扉であり、これを開いたときの状況が図２である。図１および図２の２の部分が開閉式のドアポケット部分である。昨今の家庭用大型冷蔵庫にあってはドアポケットは三段式になっている物が通例であるが、本発明のドアポケットは必ずしも１つである必要はない。図１の２のドアポケットのみを手前に倒すようにして開けたのが図３の全景である。そしてこの図３の状況を真横から見たものが図４である。【０００８】  図３、および図４のようにドアポケットがほぼ９０度の角度で開ききったとき、内部においては、ポケットの下敷になっていた折り畳み式のパネルが作動して庫内と外部を遮断すべくシャッターの役割を担っている。この仕組みについて次に説明する。【０００９】  図５の５がシャッターの役割をこなす金属性のパネルである。誇大化しているが、２ミリ〜３ミリの厚さである。図５は冷蔵室の内部であり、扉が閉まった状況である。図１の２の把手を手前に引いた様子の外観が図３、図４であり、中の様子が図８である。【００１０】  図８に至る過程について説明する。遮蔽用の折り畳み式パネル５は、通常、図５にあるように３枚に畳まれてドアポケットの下敷きになっている。図６はドアポケット部分を外から手前に引いて開けている途中である。ポケットの底面は２層構造になっており、その隙間には直径５ミリ程の球形磁石がポケット底面に開けられた約３０個の穴から、その容積の３分の１ほどを覗かせる形で円転するように埋め込まれている。したがって、折り畳まれた金属製のパネルはポケット底面の磁力につられて広げられるようにして作動する。【００１１】  図７は、ドアポケットが外に向けて完全に開ききる直前である。図７における７は緩衝材で覆った磁石である。図３、図４のようにドアポケットが完全に扇形に開ききる寸前で、パネルの先端部分は７の磁力に吸い寄せられ、Ｚ型を崩してついには図８のように伸びきり、シャッターとしての役割を担う。【００１２】  本発明に伴い、２層構造にしたドアポケットの底部の全容が図９である。円転する直径５ミリ程度の磁力を帯びた球状の金属は、図１０に拡大化したように、二層式のポケット底部から概ねその容積の３分の１程度を露出させている。【００１３】  図５〜図８の、ドアポケット開閉動作の途中過程を冷蔵庫内部より見たのが図１１である。従来はドアポケットの物品を出し入れする時、図１の１の部分、即ち冷蔵室のドア全てを開閉せねばならず、冷気の損失および一度の用事で２回の開閉を余儀なくされていたが、本発明は図１の２のドアポケット部分を、［００１２］に至るまで解説してきた要領で開閉する為、前記２つの問題点が解決する。また、本発明は、ドアポケット部分のみを扇状に手前に引き倒すと同時に外部と内部を遮断するという仕組み自体を以て発明の価値があるとするものであり、本発明で用いたように、遮断のシステムは必ずしも磁石を用いた本様式である必要はない。
【技術分野】
【００１４】  本発明は、従来の家庭用冷蔵庫の側面、および天板に開閉自在の通気孔を設け、必要に応じて、オプションとしてのクーラーボックスにつなげられるようにしたものである。
【背景技術】
【００１５】  従来の家庭用冷蔵庫は各家庭の事情に見合った容量の範囲でしか収納できず、買い溜めにも限度があり、また多勢が集うイベントでの対応に適しているとは言い難かった。
【発明の開示】
【発明が解決しようとする課題】
【００１６】  従来の家庭用冷蔵庫は各家庭の事情に合った容量の物で活用されているが、内容物の多寡により必ずしも効率的な利用が為されているとは言えない。買い溜めした時はその狭さに嘆き、買い物の前は広さを持て余すというジレンマを抱える家庭は多い。【００１７】  従来の家庭用冷蔵庫は一定の位置に固定されており、移動させて使うことは前提としていない。庭に持ち出してバーベキューパーティの場の傍らに置いたり、ハイキング先へ持って行けるものではない。これらのケースでクーラーボックス等を利用するのが通常であるが、本来のクーラーボックスは、いわゆる断熱仕様になっているだけで、その中に予め冷気を蓄える機能を有していない。【００１８】  極めて小型の冷蔵庫を、買い溜めした際の収納に用いている家庭もあるが、当然のことながら専用のコンセントにて電力の供給を受けねばならず、ハイキング先へ持っていけるものではない。エコロジーの観点から効率的な利用法とは言えない【００１９】  本発明は以上に述べたジレンマや問題を、電力の供給を別途受けずに済む形で解決しようとするものである。
【課題を解決しようとする手段】
【００２０】  本発明は、本来庫内のみで活用されていた冷気を、電話機にたとえるならば子機にあたる、オプション仕様のクーラーボックスに供給しようというものである。通常４５０リットルの容量でどうにか賄えている家庭も大量の食材を買った時や大勢の人が集う時は５００ｌ以上の容量があれば解決するのだろうが、平時は４５０ｌで済んでいる。５０ｌの容量を有したオプションのクーラボックスを本体につなげることで、そのときどきの状況に適応できる
【００２１】  各家庭で設置環境が異なるので、冷蔵庫の左右両方の側面に通気孔を設け、オプションのクーラーボックスを用いない時は専用の蓋をしておけば良い。使用する時のみ冷蔵庫に設けた通気孔の蓋を外して、専用のコネクターでクーラーボックスとつなげる。通気孔は天板にも設け、冷蔵庫の設置環境に適応させる。天板の通気孔を用いる場合は、オプションのクーラーボックスを冷蔵庫の上に置くことになるが、不要な時は、クーラーボックスは乗せたまま、通気孔の蓋を締めれば良い。
【００２２】  家庭でのイベントが庭で行われる場合、予め冷蔵庫とつないでクーラーボックスの中に必要な飲料等を入れておき、必要に応じて、キャスター付きのクーラーボックスを戸外に持ち出せばいい。キャンプや戸外でのスポーツ等のイベントに活用する手もある。
【発明の効果】
【００２３】  不必要に大型の冷蔵庫を買い求めなくても、食材、飲料の量に合わせて、オプションのクーラーボックスを用いることで、長期的に見たとき省エネにつながる。
【００２４】  冷蔵室の通気孔につないだ時は、そのクーラーボックスはもう一つの小型の冷蔵庫として機能し、冷凍室とつないだ時は、もう一つの小型の冷凍庫として機能する
【００２５】  専用コネクターの規格さえ統一されていれば、様々なクーラーボックスがオプションとして利用可能である。常設して用いるもよし、不要な時は単なるストッカーとして用いる手もある。キャスターを付けて持ち運び、然るべきシーンで用いることができる
【発明を実施する為の最良の形態】
【００２６】  以下、本発明の実施の形態を図１２〜図２１を用いて説明する
【００２７】  図１２は、オプションのキャスター付クーラーボックスを冷蔵庫の冷凍室につないだ模様を正面から見たものである。図３にあるように冷蔵庫の冷蔵室と冷凍室には、それぞれ左右の側面に通気孔を設けてある。冷凍室につなぐ場合は図１７のようなコネクターを用いてつなぐ。
【００２８】  図１３は、オプションのキャスター付クーラーボックスを冷蔵庫の冷蔵室につないだ模様を正面から見たものである。図３の上の通気孔に、図２１の伸縮性のあるコネクターを用いてつなぐ。
【００２９】  上記のように冷蔵庫とつなぐことにより、オプションのクーラーボックスは、それ自体に冷却装置も電力の供給も必要とせずに、冷蔵庫の子機ともいえる冷蔵庫もしくは冷凍庫と化す。
【００３０】  図２０は、クーラーボックスを冷蔵庫の上に載せて用いる場合のコネクターである。冷蔵庫の天板に敷設するのだから冷却効率は劣る。収納物を選別した上で有効に使える。
【００３１】  図１４と図１５は、いずれもオプションのクーラーボックスをそれぞれの角度から見たものである。クーラーボックスはオプションであるから、容量や形状は色々な物があっていい。
【００３２】  本発明は、冷蔵庫の冷蔵室と冷凍室のそれぞれの側面に、オプションのクーラボックスとつなげる為の通気孔を設け、これに付随した適応性のある通気孔を設けたクーラーボックスをセットで用いることにある。通気孔については各メーカーが同一規格のものを設ければ、あらゆるクーラーボックスの可能性も広がる。
【技術分野】
【００３３】  本発明は家庭用冷蔵庫の冷却装置、除霜装置等が発生させる熱を利用し、本来物を冷やす為の家電製品たる冷蔵庫に、物を温めるという機能を担わせようとするものである
【背景技術】
【００３４】  従来の家庭用冷蔵庫は食品を冷やすことを目的としておりその目的の為に各装置を主に本体の背部に設けているが、冷却装置や除霜装置等が発生させる熱は、ファン等を用いて、あるいは通気性を高めることにより冷まされている。冷やす為の冷却装置をも冷やす必要があり、その為に消費される電力があるのは無駄である。
【発明が解決しようとする課題】
【００３５】  従来の家庭用冷蔵庫は、単に物を冷やすことにより保存するのを目的としており、その目的を達成する為に生じる熱処理にも少なからず電力を消費するというジレンマがある。
【００３６】  従来の家庭用冷蔵庫が発生させる熱は様々な放熱の工夫が為されているが、せっかく生じた熱を有効に使えるのであれば、エコロジーの観点からも有益であるし、利便性に寄与するものであれば、発生する熱も資源となり得る。
【課題を解決する為の手段】
【００３７】  本発明は上記目的を達成する為、コンプレッサーをはじめとする各冷却装置の中で熱を発生させるものを一旦、冷蔵庫の天板の上、すなわち外部に露出させ、その部分を蔽うことによって、冷蔵庫から独立した空間で、物を温める役割を担わそうとするものである。
【００３８】  本発明はその目的を達成させる為、熱を発生させる各装置を、天板の上に集約させるのが望ましい。放熱ではなく蓄熱を目的とする為、冷蔵庫内に集約させるのは非効率的である
【００３９】  冷蔵庫の天板上に設置した各冷却装置は、別途近接させた空間に熱を伝導する仕組みとし、その空間において、物を温める。熱伝導の効率化が図れれば、専用のキャトルに入れた水を沸騰させることも可能である。
【発明の効果】
【００４０】  従来の冷蔵庫は食品を冷やすのを目的としていたが、その目的達成の為に生じていた熱を利用することにより、冷蔵庫に、物を温めるというもう一つの機能を持たすことができる
【００４１】  従来、最も熱を発生させるコンプレッサー等は、その熱が冷蔵庫本来の冷やすという目的を相殺せぬよう空冷の措置が採られており、それに要する電力は決して小さくはなかった。本発明により、各装置が、物を温めることに、その発生させた熱を用いることになれば、温める対象物が発生した熱を吸収するので、少なくともその間は、各冷却装置をファン等で冷ます必要がない。
【００４２】  以上の観点より、本発明は熱のリサイクルという捉え方もでき、一石二鳥という捉え方もできる。エコロジー、そして利便性の双方に大きく寄与するものである。
【発明を実施する為の最良の形態】
【００４３】  冷蔵庫を冷蔵庫たらしめている各冷却装置は、立方体の冷蔵庫の内部に収められていて然るべきという常識の殻をまずは破り、可能な限りの熱を発生させる装置を冷蔵庫の天板上に集約させる。この状況を、図２２〜図２７を以て説明する
【００４４】  図２２は、冷蔵庫の天板上に設けられた加熱装置である。
冷蔵庫本体の一部として付属した部分であるが、説明の便宜上、切り離した形で、図２３以降示してある。
【００４５】  図２３の１６の部分には、冷蔵庫を冷蔵庫たらしめている各冷却装置が収められている。１７、および１８は、１６に収められた冷却装置が発生させた熱を利用する為の空間である。小と大の２ヶ所の、扉を設けたボックスとして示しているが、これは１つの例であり、必ずしも図の通りである必要はない。
【００４６】  図２５の１７を例に挙げる。概ね４ｌの容量のやかんが入るスペースの床は熱を伝導し易い素材になっており、１６の装置から得た熱を効率良く帯びるようしてある。１６に内蔵された冷却装置等は、然るべき放熱の手段を構じなければ優に百度を超える。放熱と蓄熱の切り替える為のセンサーを要する。
【００４７】  単に保温を目的とした冷蔵庫は既に存在するが、本発明は保温ではなく、内容物を熱することにある。図２３〜図２６の１７、および１８のスペースには重量を感知するセンサーを設け、一定の重みを感知して、初めて１６からの熱の供給を受ける仕組みとする。
【００４８】  １７および１８のスペースの上部にはそれぞれ図にあるように蒸気を外に逃がす為の穴を設ける。蒸気に対して感応するセンサーも設けることにより、内容物が一定の温度に達したら１６からの熱の供給がストップする仕組みにしておく。
【００４９】  図２７は断熱素材で作られたケースである。たとえば図２５の１７を活用し、１８を活用しないという時は、切り替えスイッチで１８には熱が伝わらぬようにする。とはいえ隣接しているので、オプションとしてのケースを用いることで、単にストッカーとしての役割を担うこともできる。
【技術分野】
【００５０】  本発明は家庭用冷蔵庫が抱える収納スペース、および効率的な物品の出し入れを図った構造に関する
【背景技術】
【００５１】  従来の家庭用冷蔵庫は本体の前面にのみ扉や引き出しを設けた構造になっており、庫内奥の収納物を出し入れする際、庫内手前の収納物が邪魔して不便であった
【発明の開示】
【発明が解決しようとする課題】
【００５２】  従来の家庭用冷蔵庫は、収納物の出し入れを前面に設けた扉を開けて行わざるをえず、庫内奥の収納物の出し入れが不便であったが、庫内奥の物品の出し入れには時間を要するので、冷気の消失も著しいという問題をも抱えている。【００５３】  従来の家庭用冷蔵庫がその本体に具える扉や引き出しは前面のみというのが現状であるが、冷蔵庫の設置環境によっては、本体の側面に収納物の出し入れをする為の引き出しがあった方が便利であるケースもある。
【課題を解決するための手段】
【００５４】  本発明は、冷蔵庫の側面に、左右どちらからも利用できる引き出しを設け、庫内の奥に収納した物品を、正面からではなく、左右いずれかの側面より出し入れしようとするものである。【００５５】  設置環境により、冷蔵庫の左右いずれもスペースが無いケースでは嵌め殺しになるが、図２９に示す通り、有効な収納手段として利用できるので蛇足ではない
【発明の効果】
【００５６】  本発明により、設置環境によるが、側面奥に設けた引き出しを利用することで、従来、庫内の奥の収納物の出し入れに苦慮していた不便が解消されるとともに、引き出しの構造を密閉式にすることで冷気の消失も最小限に抑えられる。【００５７】  冷蔵庫の設置環境によるが、正面扉からではなく、側面に設けた引き出しに利用頻度の高い物を収納した方が便利なケースもありえる。
【発明を実施するための最良の形態】
【００５８】  図２９は冷蔵室の扉を開けたときの庫内の模様である。本図では左右に引き戸を設けたケースを庫内の二段目上部に設置させた形で示したが、この位置は一般家庭の流し台の高さより上であれば、特にこだわるものではない。【００５９】  図２８は、図２９のように収納ケースに収まった状態だった中の引き出しを左側に向けて引き出した場面である。この引き出しは、その全長の３分の２を外に引き出した時点でストッパーが作動し、残りの３分の１を庫内に残す形になる【００６０】  上記のように引き出しを左側に最大限引き出した時、図３１の２１の仕切りが外部と庫内を遮断する形になるので、引き出しを引き出しっぱなしで用事に及んでも、その間庫内の冷気が漏出しない仕組みである。【００６１】  上記のように、引き出しを左側に引き出した時、庫内に残される全長の３分の１のスペースは、通常図２９の状態にあるときの２４の部分である。引き出しを収めた状態の時は２４のスライド式の引き戸を開閉することで、そのスペースを活用すればいい。【００６２】  以上記してきた要領で、引き出しを右側に開けたときは収納ケースに収められた中の引き出しは図３０のような仕様である。左右のどちら側に引き出す形を採るかは、各家庭の冷蔵庫の設置環境次第である。【００６３】  冷蔵庫の設置環境の都合で左右のどちらに対しても引き出せない場合、図２９のような状態で単なる収納スペースとして活用すれば済む。この際２５の部分はパネルを外してケース内を露出したままで用いることになる。
【図面の簡単な説明】
【００６４】
【図１】本発明の家庭用冷蔵庫を正面から見た図
【図２】本発明の家庭用冷蔵庫の冷蔵室の扉を開けた図
【図３】本発明の冷蔵庫のドアポケット部分を手前に開いた状況を斜めから見た風景
【図４】本発明の冷蔵庫のドアポケット部分を手前に開いた状況を真横から見た風景
【図５】本発明のドアポケット部分を真横から透視した図
【図６】本発明のドアポケット部分を外側に開けている場面の透視図
【図７】本発明のドアポケット部分が外側に開ききる寸前の透視図
【図８】本発明のドアポケット部分が完全に開ききり、内部の遮断パネルが完全に内部と外部を遮断した模様を透視した図。
【図９】本発明のドアポケット部分のケース
【図１０】本発明のドアポケット部分の下層部を真横から拡大して見た図
【図１１】本発明の一連のシステムを、内部から、その開閉動作の途中を見た図
【図１２】オプションのクーラーボックスを専用のコネクターで冷蔵庫につないだ図である
【図１３】オプションのクーラーボックスを専用のコネクターで冷蔵庫につないだ図である
【図１４】オプションのクーラーボックス
【図１５】オプションのクーラーボックス
【図１６】オプションのクーラーボックスを冷蔵庫の上に載せて用いる場合の図である
【図１７】クーラーボックスを冷蔵庫の冷凍室につなぐ為のコネクターである
【図１８】コネクターを冷蔵庫およびクーラーボックスをつないだとき、双方を結合させるネジの役割を担うものである
【図１９】クーラーボックスを使わない時の蓋である。
【図２０】クーラーボックスと冷蔵庫をつなぐコネクター。
【図２１】クーラーボックスと冷蔵庫をつなぐコネクター。
【図２２】冷却装置の発熱を利用した加熱保温機能を具えたボックス
【図２３】図２２の部分を便宜上冷蔵庫から切り離したものを斜め上から見た図
【図２４】図２３を真上から見た図
【図２５】図２３の左側のボックスの扉を開けた図
【図２６】図２６は図２３の右側の扉を開けた図
【図２７】ボックスの中に着脱可能な断熱カバー
【図２８】冷蔵庫内の奥に設置した収納ケースの引き出しを左側に引き出した模様の図
【図２９】冷蔵庫内の奥に設置した収納ケースの引き出しをケース内に収めた状態の図
【図３０】右側に引き出して用いる時の引き出しの図
【図３１】左側に引き出して用いる時の引き出しの図
【図３２】図３０の２２に相当する着脱可能なパネル
【図３３】図３０の２０に相当する着脱可能なパネル
【符合の説明】
【００６５】２、    扇状に開閉するドアポケット
３ａ、３ｂ、３ｃ、    通気孔および開閉する蓋
５、    折り畳み可能な遮蔽パネル
９、    クーラーボックス
１０、  コネクター
１１、  コネクターをつないだ時に用いるねじ
１２、  クーラーボックス未使用時の、冷蔵庫、およびクーラーボックスの通気孔を塞ぐ蓋。
１３、  コネクター
１４、  コネクター
１５、  冷却装置が発生する熱を利用した加熱保温ボックス
１６、  冷蔵庫を冷蔵庫たらしめている冷却装置を収納したスペース
１７、  温める物品を収納させるスペース
１８、  １７に同じ。
１９、  断熱素材でつくられたカバーボックス
２０、  多数の通気孔を具えた仕切りパネル
２１、  穴のない間仕切りパネル
２２、  多数の通気孔を具えた仕切りパネル
【図１】
2009216378.tif 000003
【図２】
2009216378.tif 000004
【図３】
2009216378.tif 000005
【図４】
2009216378.tif 000006
【図５】
2009216378.tif 000007
【図６】
2009216378.tif 000008
【図７】
2009216378.tif 000009
【図８】
2009216378.tif 000010
【図９】
2009216378.tif 000011
【図１０】
2009216378.tif 000012
【図１１】
2009216378.tif 000013
【図１２】
2009216378.tif 000014
【図１３】
2009216378.tif 000015
【図１４】
2009216378.tif 000016
【図１５】
2009216378.tif 000017
【図１６】
2009216378.tif 000018
【図１７】
2009216378.tif 000019
【図１８】
2009216378.tif 000020
【図１９】
2009216378.tif 000021
【図２０】
2009216378.tif 000022
【図２１】
2009216378.tif 000023
【図２２】
2009216378.tif 000024
【図２３】
2009216378.tif 000025
【図２４】
2009216378.tif 000026
【図２５】
2009216378.tif 000027
【図２６】
2009216378.tif 000028
【図２７】
2009216378.tif 000029
【図２８】
2009216378.tif 000030
【図２９】
2009216378.tif 000031
【図３０】
2009216378.tif 000032
【図３１】
2009216378.tif 000033
【図３２】
2009216378.tif 000034
【図３３】
2009216378.tif 000035